(57)【要約】  走査ドライバー及び駆動方法を提供する。走査ドライバーは、第１シフトレジスタ（１０）、第２シフトレジスタ（２０）、選択ユニット（３０）、論理制御ユニット（４０）、レベル変換ユニット（５０）、及び出力増幅ユニット（６０）を含み、前記第１シフトレジスタ（１０）及び第２シフトレジスタ（２０）は第１クロック信号（ＣＰＶ１）及び第２クロック信号（ＣＰＶ２）及び第１スタートパルス信号（ＤＩＯ１）及び第２スタートパルス信号（ＤＩＯ２）を受信することにより、第１種又は第２種の走査方式で走査行を走査し、前記選択ユニット（３０）は選択信号（ＳＲ−ＳＥＬ）を受信することにより、第１シフトレジスタ（１０）又は第２シフトレジスタ（２０）を選択して走査を行い、前記論理制御ユニット（４０）は出力イネーブル信号（ＯＥ）を受信して出力を制御し、前記レベル変換ユニット（５０）はレベル信号を出力し、前記出力増幅ユニット（６０）はレベル信号を増幅した後、走査行に出力し、それによって走査ドライバーが順次走査及び非順次走査の要求を満たすことを実現する。
2021500626.tif 000002
【特許請求の範囲】
【請求項１】
走査ドライバーであって、前記走査ドライバーは、第１シフトレジスタ、第２シフトレジスタ、選択ユニット、論理制御ユニット、レベル変換ユニット、及び出力増幅ユニットを含み、
前記第１シフトレジスタは、コントローラから第１クロック信号及び第１スタートパルス信号を受信することにより、第１種の走査方式で走査行を走査することに用いられ、
前記第２シフトレジスタは、前記コントローラから第２クロック信号及び第２スタートパルス信号を受信することにより、第２種の走査方式で走査行を走査することに用いられ、
前記選択ユニットは、前記第１シフトレジスタ及び前記第２シフトレジスタに接続され、前記コントローラから選択信号を受信することにより、前記第１シフトレジスタを選択して第１種の走査方式で走査行を走査するか、又は前記第２シフトレジスタを選択して第２走査方式で走査行を走査することに用いられ、
前記論理制御ユニットは、前記選択ユニットに接続され、前記コントローラから出力イネーブル信号を受信し、且つ前記出力イネーブル信号に基づいて前記走査ドライバーの出力端子の出力を制御することに用いられ、
前記レベル変換ユニットは、前記論理制御ユニットに接続され、レベル信号を出力することに用いられ、
前記出力増幅ユニットは、前記レベル変換ユニットに接続され、前記レベル信号を増幅した後、前記走査ドライバーの出力端子によって増幅後のレベル信号を前記走査行に出力することに用いられ、
前記第１シフトレジスタの周波数は前記第２シフトレジスタの周波数よりも小さく、前記第１シフトレジスタは有効領域を順次走査することに用いられ、前記第２シフトレジスタは無効領域を非順次走査することに用いられ、
前記選択ユニットが前記コントローラから受信した選択信号は、第１選択信号及び第２選択信号を含み、前記選択ユニットは受信した前記第１選択信号に基づいて前記第１シフトレジスタを選択し第１種の走査方式で走査行を走査し、前記選択ユニットは受信した前記第２選択信号に基づいて前記第２シフトレジスタを選択して第２種の走査方式で走査行を走査する、走査ドライバー。
【請求項２】
走査ドライバーであって、前記走査ドライバーは、第１シフトレジスタ、第２シフトレジスタ、選択ユニット、論理制御ユニット、レベル変換ユニット、及び出力増幅ユニットを含み、
前記第１シフトレジスタは、コントローラから第１クロック信号及び第１スタートパルス信号を受信することにより、第１種の走査方式で走査行を走査することに用いられ、
前記第２シフトレジスタは、前記コントローラから第２クロック信号及び第２スタートパルス信号を受信することにより、第２種の走査方式で走査行を走査することに用いられ、
前記選択ユニットは、前記第１シフトレジスタ及び前記第２シフトレジスタに接続され、前記コントローラから選択信号を受信することにより、前記第１シフトレジスタを選択して第１種の走査方式で走査行を走査するか、又は前記第２シフトレジスタを選択して第２走査方式で走査行を走査することに用いられ、
前記論理制御ユニットは、前記選択ユニットに接続され、前記コントローラから出力イネーブル信号を受信し、且つ前記出力イネーブル信号に基づいて前記走査ドライバーの出力端子の出力を制御することに用いられ、
前記レベル変換ユニットは、前記論理制御ユニットに接続され、レベル信号を出力することに用いられ、
前記出力増幅ユニットは、前記レベル変換ユニットに接続され、前記レベル信号を増幅した後、前記走査ドライバーの出力端子によって増幅後のレベル信号を前記走査行に出力することに用いられる、走査ドライバー。
【請求項３】
前記第１シフトレジスタの周波数は前記第２シフトレジスタの周波数よりも小さく、前記第１シフトレジスタは有効領域を順次走査することに用いられ、前記第２シフトレジスタは無効領域を非順次走査することに用いられる、請求項２に記載の走査ドライバー。
【請求項４】
前記選択ユニットが前記コントローラから受信した選択信号は、第１選択信号及び第２選択信号を含み、前記選択ユニットは受信した前記第１選択信号に基づいて前記第１シフトレジスタを選択し第１種の走査方式で走査行を走査するか、前記選択ユニットは受信した前記第２選択信号に基づいて前記第２シフトレジスタを選択して第２種の走査方式で走査行を走査する、請求項２に記載の走査ドライバー。
【請求項５】
前記第１シフトレジスタ及び前記第２シフトレジスタはさらに前記コントローラからゲートクロック信号を受信することにより、前記ゲートクロック信号によって前記走査行のオン時間を延長する、請求項２に記載の走査ドライバー。
【請求項６】
前記第２シフトレジスタが受信した前記第２クロック信号の周波数はｆＣＰＶ２≧（Ｎ−１）／（ｔＶＢ−ｔＯＰＥＮ）を満たし、ｆＣＰＶ２は前記第２クロック信号の周波数であり、Ｎは前記走査行の数であり、ｔＶＢは前記無効領域の時間であり、ｔＯＰＥＮは前記走査行のオン時間である、請求項２に記載の走査ドライバー。
【請求項７】
走査ドライバーの駆動方法であって、前記方法は、
第１シフトレジスタによってコントローラから第１クロック信号及び第１スタートパルス信号を受信することにより、第１種の走査方式で走査行を走査するステップ、
第２シフトレジスタによって前記コントローラから第２クロック信号及び第２スタートパルス信号を受信することにより、第２種の走査方式で走査行を走査するステップ、
選択ユニットによって前記コントローラから選択信号を受信することにより、前記第１シフトレジスタを選択して第１種の走査方式で走査行を走査するか、又は前記第２シフトレジスタを選択して第２走査方式で走査行を走査するステップ、
論理制御ユニットによって前記コントローラから出力イネーブル信号を受信し、且つ前記出力イネーブル信号に基づいて前記走査ドライバーの出力端子の出力を制御するステップ、
レベル変換ユニットによってレベル信号を出力するステップ、及び
出力増幅ユニットによって前記レベル信号を増幅した後、前記走査ドライバーの出力端子によって増幅後のレベル信号を前記走査行に出力するステップ、を含む、走査ドライバーの駆動方法。
【請求項８】
前記第１シフトレジスタによってコントローラから第１クロック信号及び第１スタートパルス信号を受信することにより、第１種の走査方式で走査行を走査するステップは、
前記第１シフトレジスタによって有効領域を順次走査するステップを含み、
前記第２シフトレジスタによって前記コントローラから第２クロック信号及び第２スタートパルス信号を受信することにより、第２種の走査方式で走査行を走査するステップは、
前記第２シフトレジスタによって無効領域を非順次走査するステップを含む、請求項７に記載の走査ドライバーの駆動方法。
【請求項９】
前記選択ユニットによって前記コントローラから選択信号を受信することにより、前記第１シフトレジスタを選択して第１種の走査方式で走査行を走査するか、又は前記第２シフトレジスタを選択して第２走査方式で走査行を走査するステップは、
前記選択信号は、第１選択信号及び第２選択信号を含み、前記選択ユニットは受信した前記第１選択信号に基づいて前記第１シフトレジスタを選択して第１種の走査方式で走査行を走査し、前記選択ユニットは受信した前記第２選択信号に基づいて前記第２シフトレジスタを選択して第２種の走査方式で走査行を走査するステップを含む、請求項７に記載の走査ドライバーの駆動方法。
【請求項１０】
前記コントローラによってゲートクロック信号を前記第１シフトレジスタ及び前記第２シフトレジスタに出力することにより、前記ゲートクロック信号によって前記走査行のオン時間を延長する、請求項７に記載の走査ドライバーの駆動方法。
【請求項１１】
前記第２シフトレジスタが受信した前記第２クロック信号の周波数はｆＣＰＶ２≧（Ｎ−１）／（ｔＶＢ−ｔＯＰＥＮ）を満たし、ｆＣＰＶ２は前記第２クロック信号の周波数であり、Ｎは前記走査行の数であり、ｔＶＢは無効領域の時間であり、ｔＯＰＥＮは前記走査行のオン時間である、請求項７に記載の走査ドライバーの駆動方法。
【発明の詳細な説明】
【技術分野】
【０００１】
本発明は表示技術分野に関し、特に走査ドライバー及び走査ドライバーの駆動方法に関する。
【背景技術】
【０００２】
従来の（図１に示されるような）走査ドライバーはシフトレジスタに基づいて（図２及び図３に示されるように）順次走査の駆動方式によって走査行を走査するしかできなかった。特殊の機能を必要とするいくつかの回路では、走査ドライバーは走査行を非順次走査する必要があり、この場合、従来の走査ドライバーは上記要求を満たすことができない。
【発明の概要】
【発明が解決しようとする課題】
【０００３】
本発明が主に解決しようとする技術的課題は、走査ドライバー及び走査ドライバーの駆動方法を提供することにより、順次走査及び非順次走査の要求を満たすことである。
【課題を解決するための手段】
【０００４】
上記技術的課題を解決するために、本発明が採用する一技術的手段は以下のとおりである。第１シフトレジスタ、第２シフトレジスタ、選択ユニット、論理制御ユニット、レベル変換ユニット、及び出力増幅ユニットを含み、前記第１シフトレジスタは、コントローラから第１クロック信号及び第１スタートパルス信号を受信することにより、第１種の走査方式で走査行を走査することに用いられ、前記第２シフトレジスタは、前記コントローラから第２クロック信号及び第２スタートパルス信号を受信することにより、第２種の走査方式で走査行を走査することに用いられ、前記選択ユニットは、前記第１シフトレジスタ及び前記第２シフトレジスタに接続され、前記コントローラから選択信号を受信することにより、前記第１シフトレジスタを選択して第１種の走査方式で走査行を走査するか、又は前記第２シフトレジスタを選択して第２走査方式で走査行を走査することに用いられ、前記論理制御ユニットは、前記選択ユニットに接続され、前記コントローラから出力イネーブル信号を受信し、且つ前記出力イネーブル信号に基づいて前記走査ドライバーの出力端子の出力を制御することに用いられ、前記レベル変換ユニットは、前記論理制御ユニットに接続され、レベル信号を出力することに用いられ、前記出力増幅ユニットは、前記レベル変換ユニットに接続され、前記レベル信号を増幅した後、前記走査ドライバーの出力端子によって増幅後のレベル信号を前記走査行に出力することに用いられ、前記第１シフトレジスタの周波数は前記第２シフトレジスタの周波数よりも小さく、前記第１シフトレジスタは有効領域を順次走査することに用いられ、前記第２シフトレジスタは無効領域を非順次走査することに用いられ、前記選択ユニットが前記コントローラから受信した選択信号は、第１選択信号及び第２選択信号を含み、前記選択ユニットは受信した前記第１選択信号に基づいて前記第１シフトレジスタを選択し第１種の走査方式で走査行を走査し、前記選択ユニットは受信した前記第２選択信号に基づいて前記第２シフトレジスタを選択して第２種の走査方式で走査行を走査する走査ドライバーを提供する。
【０００５】
上記技術的課題を解決するために、本発明が採用する一技術的手段は以下のとおりである。第１シフトレジスタ、第２シフトレジスタ、選択ユニット、論理制御ユニット、レベル変換ユニット、及び出力増幅ユニットを含み、前記第１シフトレジスタは、コントローラから第１クロック信号及び第１スタートパルス信号を受信することにより、第１種の走査方式で走査行を走査することに用いられ、前記第２シフトレジスタは、前記コントローラから第２クロック信号及び第２スタートパルス信号を受信することにより、第２種の走査方式で走査行を走査することに用いられ、前記選択ユニットは、前記第１シフトレジスタ及び前記第２シフトレジスタに接続され、前記コントローラから選択信号を受信することにより、前記第１シフトレジスタを選択して第１種の走査方式で走査行を走査するか、又は前記第２シフトレジスタを選択して第２走査方式で走査行を走査することに用いられ、前記論理制御ユニットは、前記選択ユニットに接続され、前記コントローラから出力イネーブル信号を受信し、且つ前記出力イネーブル信号に基づいて前記走査ドライバーの出力端子の出力を制御することに用いられ、前記レベル変換ユニットは、前記論理制御ユニットに接続され、レベル信号を出力することに用いられ、前記出力増幅ユニットは、前記レベル変換ユニットに接続され、前記レベル信号を増幅した後、前記走査ドライバーの出力端子によって増幅後のレベル信号を前記走査行に出力することに用いられる走査ドライバーを提供する。
【０００６】
上記技術的課題を解決するために、本発明が採用する一技術的手段は以下のとおりである。第１シフトレジスタによってコントローラから第１クロック信号及び第１スタートパルス信号を受信することにより、第１種の走査方式で走査行を走査するステップ、第２シフトレジスタによって前記コントローラから第２クロック信号及び第２スタートパルス信号を受信することにより、第２種の走査方式で走査行を走査するステップ、選択ユニットによって前記コントローラから選択信号を受信することにより、前記第１シフトレジスタを選択して第１種の走査方式で走査行を走査するか、又は前記第２シフトレジスタを選択して第２走査方式で走査行を走査するステップ、論理制御ユニットによって前記コントローラから出力イネーブル信号を受信し、且つ前記出力イネーブル信号に基づいて前記走査ドライバーの出力端子の出力を制御するステップ、
レベル変換ユニットによってレベル信号を出力するステップ、及び出力増幅ユニットによって前記レベル信号を増幅した後、前記走査ドライバーの出力端子によって増幅後のレベル信号を前記走査行に出力するステップ、を含む走査ドライバーの駆動方法を提供する。
【０００７】
本発明の有益な効果は、以下のとおりである。従来技術の状況と異なり、本発明の前記走査ドライバー及び走査ドライバーの駆動方法は、前記第１レジスタによって順次走査を実現するとともに、前記第２レジスタによって非順次走査を実現し、且つ選択ユニットが前記コントローラから受信した選択信号によって前記第１レジスタを選択して動作させ又は前記第２レジスタを選択して動作させ、且つ前記論理制御ユニットによって前記走査ドライバーの出力端子の出力を制御し、それによって走査ドライバーが順次走査及び非順次走査の要求を満たすことを実現する。
【図面の簡単な説明】
【０００８】
【図１】図１は従来の走査ドライバーの構造模式図である。
【図２】図２は図１の駆動タイミング模式図である。
【図３】図３は従来の走査ドライバーの出力波形の模式図である。
【図４】図４は本発明の走査ドライバーの構造模式図である。
【図５】図５は図４の駆動タイミング模式図である。
【図６】図６は本発明の走査ドライバーの駆動方法のフローチャートである。
【発明を実施するための形態】
【０００９】
図４に示すように、本発明の走査ドライバーの構造模式図である。上記走査ドライバーは、第１シフトレジスタ１０、第２シフトレジスタ２０、選択ユニット３０、論理制御ユニット４０、レベル変換ユニット５０、及び出力増幅ユニット６０を含み、上記第１シフトレジスタ１０は、コントローラ７０から第１クロック信号ＣＰＶ１及び第１スタートパルス信号ＤＩＯ１を受信することにより、第１種の走査方式で走査行を走査することに用いられ、上記第２シフトレジスタ２０は、上記コントローラ７０から第２クロック信号ＣＰＶ２及び第２スタートパルス信号ＤＩＯ２を受信することにより、第２種の走査方式で走査行を走査することに用いられ、上記選択ユニット３０は、上記第１シフトレジスタ１０及び上記第２シフトレジスタ２０に接続され、上記コントローラ７０から選択信号ＳＲ＿ＳＥＬを受信することにより、上記第１シフトレジスタ１０を選択して第１種の走査方式で走査行を走査するか、又は上記第２シフトレジスタ２０を選択して第２走査方式で走査行を走査することに用いられ、上記論理制御ユニット４０は、上記選択ユニット３０に接続され、上記コントローラ７０から出力イネーブル信号ＯＥを受信し、且つ上記出力イネーブル信号ＯＥに基づいて上記走査ドライバーの出力端子の出力を制御することに用いられ、上記レベル変換ユニット５０は、上記論理制御ユニット４０に接続され、レベル信号を出力することに用いられ、上記出力増幅ユニット６０は、上記レベル変換ユニット５０に接続され、上記レベル信号を増幅した後、上記走査ドライバーの出力端子Ｇｎによって増幅後のレベル信号（上記レベル信号は１又は０）を上記走査行に出力することに用いられる。
【００１０】
本実施例では、上記第１シフトレジスタ１０の周波数は上記第２シフトレジスタ２０の周波数よりも小さく、上記第１シフトレジスタ１０は有効領域を順次走査することに用いられ、上記第２シフトレジスタ２０は無効領域を非順次走査することに用いられる。
【００１１】
具体的には、上記選択ユニット３０が上記コントローラ７０から受信した選択信号ＳＲ＿ＳＥＬは、第１選択信号及び第２選択信号を含み、上記選択ユニット３０は受信した上記第１選択信号に基づいて上記第１シフトレジスタ１０を選択して第１種の走査方式で走査行を走査し、上記選択ユニット３０は受信した上記第２選択信号に基づいて上記第２シフトレジスタ２０を選択して第２種の走査方式で走査行を走査する。
【００１２】
本実施例では、上記第１シフトレジスタ１０及び上記第２シフトレジスタ２０はさらに上記コントローラ７０からゲートクロック信号ＣＬＫ＿ＧＡＴＥを受信することにより、上記ゲートクロック信号ＣＬＫ＿ＧＡＴＥによって上記走査行のオン時間を延長する。
【００１３】
本実施例では、上記第２シフトレジスタ２０が受信した上記第２クロック信号ＣＰＶ２の周波数はｆＣＰＶ２≧（Ｎ−１）／（ｔＶＢ−ｔＯＰＥＮ）を満たし、ｆＣＰＶ２は上記第２クロック信号の周波数であり、Ｎは上記走査行の数であり、ｔＶＢは上記無効領域の時間であり、ｔＯＰＥＮは上記走査行のオン時間である。
【００１４】
従来の走査ドライバーの最大動作周波数は３５０ＫＨｚをこえうるものではなく、これは該周波数だけで従来の使用ニーズを満たすことができるからである。４Ｋ２Ｋ  ＵＤ  ＠１２０Ｈｚを例にすると、走査ドライバーの周波数ｆＣＰＶ＝２１６０＊１２０＝２５９．２ＫＨｚは従来の使用ニーズを満たすことができ、クロック信号ＣＰＶが直接シフトレジスタに作用し、その周波数が主にシフトレジスタではなく走査ドライバーの内部回路の影響を受けるため、シフトレジスタがより高い周波数で動作できる。
【００１５】
図５は、本発明の走査ドライバーの駆動タイミング模式図である。図４及び図５からわかるように、上記第１シフトレジスタ１０が第１種の走査方式で走査行を走査（すなわち、順次走査）する動作原理は以下のように説明される。
【００１６】
アドレッシング段階では、対応する走査行まで迅速に走査する。パネルの正常な表示に影響しないように、上記走査行をすべてオフ状態にし、上記論理制御ユニット４０が上記コントローラ７０から受信した出力イネーブル信号ＯＥを低レベルにする。この時、上記走査ドライバーにはいずれの出力もなく、上記第１シフトレジスタ１０は上記第１クロック信号ＣＰＶ１及び上記第１スタートパルス信号ＤＩＯ１を受信すると動作し、上記第１シフトレジスタ１０に第１走査行を走査させ（順方向走査時、第１走査行から最後の走査行まで順次走査するが、ここでは順方向走査を例に説明する）、又は最後の走査行を走査させる（逆方向走査時、最後の走査行から第１走査行まで順次走査する）。
【００１７】
オン段階では、走査された対応する走査行をオンにし、且つ上記走査行をオンにした後、所定時間維持する。上記走査ドライバーが対応する走査行（例えば、第１走査行）まで走査した時、上記論理制御ユニット４０が上記コントローラ７０から受信した出力イネーブル信号ＯＥは高レベルである。この時、上記走査ドライバーが走査駆動信号を出力することで、対応する走査行（例えば、第１走査行）をオンにするように制御するが、１つのクロック周期が非常に短く、所要のオン時間を満足できないため、上記コントローラ７０によって低レベルのゲートクロック信号ＣＬＫ＿ＧＡＴＥを出力して上記第１シフトレジスタ１０に提供することにより、上記第１クロック信号ＣＰＶ１をディセーブルし、それによって対応する走査行を所定時間オンにすることを実現する。
【００１８】
オフ段階では、オンにされた対応する走査行をオフにし、残りの走査行の走査を完了する。既にオンにされた対応する走査行が上記所定時間オンになった後、上記コントローラ７０が高レベルのゲートクロック信号ＣＬＫ＿ＧＡＴＥを出力して上記第１シフトレジスタ１０に提供する。それにより、上記第１クロック信号ＣＰＶ１をイネーブルし、上記走査ドライバーが残りの走査行（例えば、第２走査行）まで走査し続け、現在既にオンにされている対応する走査行をオフにする。残りの走査行を操作する走査原理は上記と同様であるため、ここでは詳しく説明しない。以上の走査によって、走査行を行ごとにオンして所定時間維持することを実現でき、それにより順次走査を実現する。
【００１９】
上記第２シフトレジスタ２０が第２種の走査方式で走査行を走査（すなわち、非順次走査）する動作原理は以下のように説明される。
【００２０】
アドレッシング段階では、オンにする必要がある走査行まで迅速に走査する。パネルの正常表示に影響しないように、上記走査行をすべてオフ状態にし、上記論理制御ユニット４０が上記コントローラ７０から受信した出力イネーブル信号ＯＥを低レベルにする。この時、上記走査ドライバーにはいずれの出力もなく、上記第２シフトレジスタ２０は上記第２クロック信号ＣＰＶ２及び上記第２スタートパルス信号ＤＩＯ２を受信すると、より高い周波数で動作し、上記第２シフトレジスタ２０にオンにする必要がある走査行まで迅速に走査させる。
【００２１】
オン段階では、上記オンにする必要がある走査行をオンにし、且つ上記走査行をオンにした後、所定時間維持する。上記走査ドライバーがオンにする必要がある走査行まで走査した時、上記論理制御ユニット４０が上記コントローラ７０から受信した出力イネーブル信号ＯＥは高レベルである。この時、上記走査ドライバーが走査駆動信号を出力してオンにする必要がある走査行をオンにするように制御するが、１つのクロック周期が非常に短く、所要のオン時間を満足できないため、上記コントローラ７０が低レベルのゲートクロック信号ＣＬＫ＿ＧＡＴＥを出力して上記第２シフトレジスタ２０に提供することにより、上記第２クロック信号ＣＰＶ２をディセーブルし、それによって上記オンにする必要がある走査行を所定時間オンにすることを実現する。
【００２２】
オフ段階では、オンにする必要がある走査行にオフし、残りのオンにする必要がある走査行の走査を完了する。オンにする必要がある走査行が上記所定時間オンになった後、上記コントローラ７０が高レベルのゲートクロック信号ＣＬＫ＿ＧＡＴＥを出力して上記第２シフトレジスタ２０に提供する。それにより、上記第２クロック信号ＣＰＶ２をイネーブルし、上記走査ドライバーが残りのオンにする必要がある走査行まで走査し続け、現在オンにする必要がある走査行をオフにする。残りのオンにする必要がある走査行を走査する走査原理は上記と同様であるため、ここでは詳しく説明しない。以上の走査によって、オンにする必要がある任意の走査行をオンにして所定時間維持することを実現でき、それにより非順次走査を実現する。
【００２３】
図６は、本発明の走査ドライバーの駆動方法のフローチャートである。上記方法はステップＳ１〜ステップＳ６を含む。
【００２４】
ステップＳ１では、第１シフトレジスタ１０によってコントローラ７０から第１クロック信号ＣＰＶ１及び第１スタートパルス信号ＤＩＯ１を受信することにより、第１種の走査方式で走査行を走査する。
【００２５】
ステップＳ２では、第２シフトレジスタ２０は上記コントローラ７０から第２クロック信号ＣＰＶ２及び第２スタートパルス信号ＤＩＯ２を受信することにより、第２種の走査方式で走査行を走査する。
【００２６】
ステップＳ３では、選択ユニット３０によって上記コントローラ７０から選択信号を受信することにより、上記第１シフトレジスタ１０を選択して第１種の走査方式で走査行を走査するか、又は上記第２シフトレジスタ２０を選択して第２走査方式で走査行を走査する。
【００２７】
ステップＳ４では、論理制御ユニット４０によって上記コントローラ７０から出力イネーブル信号ＯＥを受信し、且つ上記出力イネーブル信号ＯＥに基づいて上記走査ドライバーの出力端子Ｇｎの出力を制御する。
【００２８】
ステップＳ５では、レベル変換ユニット５０によってレベル信号を出力する。
【００２９】
ステップＳ６では、出力増幅ユニット６０によって上記レベル信号を増幅した後、上記走査ドライバーの出力端子Ｇｎによって増幅後のレベル信号を上記走査行に出力する。
【００３０】
ステップＳ１は、上記第１シフトレジスタ１０によって有効領域を順次走査するステップを含む。
【００３１】
ステップＳ２は、上記第２シフトレジスタ２０によって無効領域を非順次走査するステップを含む。
【００３２】
ステップＳ３は、上記選択信号は、第１選択信号及び第２選択信号を含み、上記選択ユニット３０は受信した上記第１選択信号に基づいて上記第１シフトレジスタ１０を選択して第１種の走査方式で走査行を走査し、上記選択ユニット３０は受信した上記第２選択信号に基づいて上記第２シフトレジスタ２０を選択して第２種の走査方式で走査行を走査するステップを含む。
【００３３】
上記走査ドライバー及び走査ドライバーの駆動方法は、上記第１レジスタによって順次走査を実現するとともに、上記第２レジスタによって非順次走査を実現し、且つ選択ユニットが上記コントローラから受信した選択信号によって上記第１レジスタを選択して動作させ又は上記第２レジスタを選択して動作させ、且つ上記論理制御ユニットによって上記走査ドライバーの出力端子の出力を制御し、それによって走査ドライバーが順次走査及び非順次走査の要求を満たすことを実現する。
【００３４】
以上、本発明の実施形態を説明したが、それにより本発明の特許範囲を限定するものではなく、本発明の明細書及び図面の内容を利用して作られた同等構造や同等フローの変形、又はほかの関連技術分野に直接又は間接応用することであれば、すべて同様に本発明の特許保護範囲内に含まれる。
【符号の説明】
【００３５】
１０  第１シフトレジスタ
２０  第２シフトレジスタ
３０  選択ユニット
４０  論理制御ユニット
５０  レベル変換ユニット
６０  出力増幅ユニット
７０  コントローラ
【図１】
2021500626.tif 000003
【図２】
2021500626.tif 000004
【図３】
2021500626.tif 000005
【図４】
2021500626.tif 000006
【図５】
2021500626.tif 000007
【図６】
2021500626.tif 000008
【国際調査報告】
2021500626.tif 000009
2021500626.tif 000010
2021500626.tif 000011
2021500626.tif 000012
2021500626.tif 000013